(57)【特許請求の範囲】
【請求項１】
放送コンテンツを受信して再生するコンテンツ再生手段と、電話回線を用いた通話手段とを備えた放送受信装置において、
前記放送コンテンツの再生中に着信が生じた場合、通話要求に基づいて、受信した放送コンテンツを記録媒体に記録するもので、前記記録媒体の記録可能時間がなくなった場合、受信した放送コンテンツを、前記記録媒体の記録領域のうち古い放送コンテンツの記録領域から順次上書きして、前記放送コンテンツの記録を継続する記録手段と、
再生要求に基づいて、前記記録媒体に記録されている放送コンテンツを再生するとともに、この再生された放送コンテンツが記録されていた前記記録媒体の領域に、受信した放送コンテンツを上書きするもので、前記記録媒体から再生する放送コンテンツが、前記通話要求がなされた時点の放送コンテンツに連続しない旨の表示を行なう記録再生手段とを具備することを特徴とする放送受信装置。
【請求項２】
前記記録手段は、前記記録媒体への前記放送コンテンツの記録時に、前記記録媒体の記録可能時間が予め設定された所定時間より短くなった状態で、警告を発生することを特徴とする請求項１記載の放送受信装置。
【請求項３】
前記記録手段は、通話開始を要求するキーが操作されたことに基づいて、受信した放送コンテンツの前記記録媒体への記録を行なうことを特徴とする請求項１記載の放送受信装置。
【請求項４】
前記記録再生手段は、通話終了を示すキーが操作されたことに基づいて、前記記録媒体に対する放送コンテンツの再生と上書きとを行なうことを特徴とする請求項１記載の放送受信装置。
【請求項５】
前記記録再生手段は、前記記録媒体に記録された放送コンテンツの再生時に部分的に早送りすることが可能であることを特徴とする請求項１記載の放送受信装置。
【請求項６】
放送コンテンツを受信して再生するコンテンツ再生手段と、電話回線を用いた通話手段とを備えた放送受信装置を制御する放送受信装置の制御方法において、
受信した前記放送コンテンツを再生する工程と、
前記放送コンテンツの再生中に着信が生じたことを判別する工程と、
着信が生じた場合、通話要求に基づいて、受信した放送コンテンツを記録媒体に記録するもので、前記記録媒体の記録可能時間がなくなった場合、受信した放送コンテンツを、前記記録媒体の記録領域のうち古い放送コンテンツの記録領域から順次上書きして、前記放送コンテンツの記録を継続する工程と、
再生要求に基づいて、前記記録媒体に記録されている放送コンテンツを再生するとともに、この再生された放送コンテンツが記録されていた前記記録媒体の領域に、受信した放送コンテンツを上書きするもので、前記記録媒体から再生する放送コンテンツが、前記通話要求がなされた時点の放送コンテンツに連続しない旨の表示を行なう工程とを具備することを特徴とする放送受信装置の制御方法。
【請求項７】
着信が生じ、通話要求に基づいて、受信した放送コンテンツを記録媒体に記録する際、前記記録媒体の記録可能時間が予め設定された所定時間より短くなった状態で、警告を発生することを特徴とする請求項６記載の放送受信装置の制御方法。
【請求項８】
放送コンテンツを受信して画像表示するコンテンツ再生手段と、電話回線を用いた通話手段とを備えた携帯情報端末において、
前記放送コンテンツの画像表示中に着信が生じた場合、通話要求に基づいて、受信した放送コンテンツを記録媒体に記録するもので、前記記録媒体の記録可能時間がなくなった場合、受信した放送コンテンツを、前記記録媒体の記録領域のうち古い放送コンテンツの記録領域から順次上書きして、前記放送コンテンツの記録を継続する記録手段と、
再生要求に基づいて、前記記録媒体に記録されている放送コンテンツを読み出して画像表示するとともに、この画像表示された放送コンテンツが記録されていた前記記録媒体の領域に、受信した放送コンテンツを上書きするもので、前記記録媒体から読み出す放送コンテンツが、前記通話要求がなされた時点の放送コンテンツに連続しない旨の表示を行なう記録再生手段とを具備することを特徴とする携帯情報端末。
【請求項９】
放送コンテンツを受信して画像表示するコンテンツ再生手段と、電話回線を用いた通話手段とを備えた携帯情報端末を制御する携帯情報端末の制御方法において、
受信した前記放送コンテンツを画像表示する工程と、
前記放送コンテンツの画像表示中に着信が生じたことを判別する工程と、
着信が生じた場合、通話要求に基づいて、受信した放送コンテンツを記録媒体に記録するもので、前記記録媒体の記録可能時間がなくなった場合、受信した放送コンテンツを、前記記録媒体の記録領域のうち古い放送コンテンツの記録領域から順次上書きして、前記放送コンテンツの記録を継続する工程と、
再生要求に基づいて、前記記録媒体に記録されている放送コンテンツを読み出して画像表示するとともに、この画像表示された放送コンテンツが記録されていた前記記録媒体の領域に、受信した放送コンテンツを上書きするもので、前記記録媒体から読み出す放送コンテンツが、前記通話要求がなされた時点の放送コンテンツに連続しない旨の表示を行なう工程とを具備することを特徴とする携帯情報端末の制御方法。
【請求項１０】
着信が生じ、通話要求に基づいて、受信した放送コンテンツを記録媒体に記録する際、前記記録媒体の記録可能時間が予め設定された所定時間より短くなった状態で、警告を発生することを特徴とする請求項９記載の携帯情報端末の制御方法。
【発明の詳細な説明】
【０００１】
【発明の属する技術分野】
この発明は、放送受信装置及びその制御方法、携帯情報端末及びその制御方法に係り、特に放送コンテンツを受信して再生する機能と電話機能との融合を図るようにしたものに関する。
【０００２】
【従来の技術】
周知のように、近年では、ＩＭＴ（International Mobile Telecommunication）−２０００方式対応の携帯電話や、モバイル衛星放送対応のモバイルテレビジョン受信機等、次世代モバイル端末の開発が盛んに行なわれている。
【０００３】
そして、現在では、このような次世代モバイル端末として、モバイル衛星放送や地上波によるモバイル向けのデジタル放送等を受信する携帯用の放送受信装置に、電話機能を持たせることが考えられている。
【０００４】
ところで、携帯用の放送受信装置に電話機能を備えた場合、放送コンテンツの視聴中における着信に対していかに対処するかが重要な課題となるが、この点については、まだ十分に実用的な対策が処せられていないのが現状である。
【０００５】
なお、特許文献１として提示する特開２００２−７７４５８号公報及び特許文献２として提示する特開２００１−２４５０２４号公報には、いずれも、携帯電話でコンテンツ再生中に着信があった場合、再生を中断し、通話終了後に、中断位置近傍からコンテンツの再生を再開する構成が開示されている。
【０００６】
しかしながら、前者は、配信局に任意の位置からのコンテンツ配信を要求可能なシステムを前提としており、後者は、記録媒体に記録されたコンテンツを任意の位置から再生可能としたもので、いずれも、一般的なテレビジョン放送における視聴中の着信を考慮してはいないものである。
【０００７】
【特許文献１】
特開２００２−７７４５８号公報
【０００８】
【特許文献２】
特開２００１−２４５０２４号公報
【０００９】
【発明が解決しようとする課題】
そこで、この発明は上記事情を考慮してなされたもので、放送コンテンツの再生中における着信に対して十分に実用的なレベルでの対処を可能とした極めて良好な放送受信装置及びその制御方法、携帯情報端末及びその制御方法を提供することを目的とする。
【００１０】
【課題を解決するための手段】
この発明に係る放送受信装置は、放送コンテンツを受信して再生するコンテンツ再生手段と、電話回線を用いた通話手段とを備えたものを対象としている。そして、放送コンテンツの再生中に着信が生じた場合、通話要求に基づいて、受信した放送コンテンツを記録媒体に記録するもので、記録媒体の記録可能時間がなくなった場合、受信した放送コンテンツを、記録媒体の記録領域のうち古い放送コンテンツの記録領域から順次上書きして、放送コンテンツの記録を継続する記録手段と、再生要求に基づいて、記録媒体に記録されている放送コンテンツを再生するとともに、この再生された放送コンテンツが記録されていた記録媒体の領域に、受信した放送コンテンツを上書きするもので、記録媒体から再生する放送コンテンツが、通話要求がなされた時点の放送コンテンツに連続しない旨の表示を行なう記録再生手段とを備えるようにしたものである。
【００１１】
また、この発明に係る放送受信装置の制御方法は、放送コンテンツを受信して再生するコンテンツ再生手段と、電話回線を用いた通話手段とを備えた放送受信装置を制御する方法を対象としている。そして、受信した放送コンテンツを再生する工程と、放送コンテンツの再生中に着信が生じたことを判別する工程と、着信が生じた場合、通話要求に基づいて、受信した放送コンテンツを記録媒体に記録するもので、記録媒体の記録可能時間がなくなった場合、受信した放送コンテンツを、記録媒体の記録領域のうち古い放送コンテンツの記録領域から順次上書きして、放送コンテンツの記録を継続する工程と、再生要求に基づいて、記録媒体に記録されている放送コンテンツを再生するとともに、この再生された放送コンテンツが記録されていた記録媒体の領域に、受信した放送コンテンツを上書きするもので、記録媒体から再生する放送コンテンツが、通話要求がなされた時点の放送コンテンツに連続しない旨の表示を行なう工程とを備えるようにしたものである。
【００１２】
さらに、この発明に係る携帯情報端末は、放送コンテンツを受信して画像表示するコンテンツ再生手段と、電話回線を用いた通話手段とを備えたものを対象としている。そして、放送コンテンツの画像表示中に着信が生じた場合、通話要求に基づいて、受信した放送コンテンツを記録媒体に記録するもので、記録媒体の記録可能時間がなくなった場合、受信した放送コンテンツを、記録媒体の記録領域のうち古い放送コンテンツの記録領域から順次上書きして、放送コンテンツの記録を継続する記録手段と、再生要求に基づいて、記録媒体に記録されている放送コンテンツを読み出して画像表示するとともに、この画像表示された放送コンテンツが記録されていた記録媒体の領域に、受信した放送コンテンツを上書きするもので、記録媒体から読み出す放送コンテンツが、通話要求がなされた時点の放送コンテンツに連続しない旨の表示を行なう記録再生手段とを備えるようにしたものである。
【００１３】
また、この発明に係る携帯情報端末の制御方法は、放送コンテンツを受信して画像表示するコンテンツ再生手段と、電話回線を用いた通話手段とを備えた携帯情報端末を制御する方法を対象としている。そして、受信した放送コンテンツを画像表示する工程と、放送コンテンツの画像表示中に着信が生じたことを判別する工程と、着信が生じた場合、通話要求に基づいて、受信した放送コンテンツを記録媒体に記録するもので、記録媒体の記録可能時間がなくなった場合、受信した放送コンテンツを、記録媒体の記録領域のうち古い放送コンテンツの記録領域から順次上書きして、放送コンテンツの記録を継続する工程と、再生要求に基づいて、記録媒体に記録されている放送コンテンツを読み出して画像表示するとともに、この画像表示された放送コンテンツが記録されていた記録媒体の領域に、受信した放送コンテンツを上書きするもので、記録媒体から読み出す放送コンテンツが、通話要求がなされた時点の放送コンテンツに連続しない旨の表示を行なう工程とを備えるようにしたものである。
【００１４】
上記のような構成及び方法によれば、放送コンテンツの再生中に着信が生じた場合、通話要求に基づいて受信した放送コンテンツを記録媒体に記録し、再生要求に基づいて、記録媒体から放送コンテンツを再生するとともに、再生された放送コンテンツが記録されていた記録媒体の領域に、受信した放送コンテンツを上書きしていくようにしている。
【００１５】
これにより、通話終了時に、通話要求時点の放送コンテンツに続く放送コンテンツの再生が開始されるようになり、通話により放送コンテンツの途中部分を見逃すことを防止することができ、放送コンテンツの再生中における着信に対して十分に実用的なレベルでの対処を可能とすることができる。
【００１６】
【発明の実施の形態】
以下、この発明の実施の形態について、図面を参照して詳細に説明する。図１は、この実施の形態で説明する携帯用テレビジョン放送受信装置１１の外観を示している。この放送受信装置１１は、電話回線を用いた通話機能として携帯電話の機能を備えている。
【００１７】
この放送受信装置１１は、その本体部１２に、アンテナ部１３、液晶表示部１４、操作部１５、スピーカ部１６及びマイクロホン部１７等が、それぞれ配置されている。このうち、アンテナ部１３は、通信用とテレビジョン放送受信用との２種類の機能を有するように構成されている。
【００１８】
また、操作部１５は、電源キー１５ａ、着信時に通話を開始する通話キー１５ｂ、通話を終了するホールドキー１５ｃ、各種の機能を制御する制御キー群１５ｄ及びテンキー群１５ｅ等から構成されている。
【００１９】
図２は、放送受信装置１１の信号処理系の構成を示している。すなわち、この放送受信装置１１は、アンテナ１３に接続された信号分離部１８、電話部１９、テレビジョン放送受信部２０、キー入力部２１、インターフェース部２２及びマイクロコンピュータ２３とから構成されている。
【００２０】
また、電話部１９は、信号処理部１９ａ、通信プロトコル処理部１９ｂ及びアプリケーション処理部１９ｃとを有している。さらに、テレビジョン放送受信部２０は、映像・音声処理部２０ａ、デコーダ部２０ｂ、映像・音声記録部２０ｃ及び表示処理部２０ｄとを有している。
【００２１】
そして、インターフェース部２２は、上記液晶表示部１４、操作部１５（図２では通話キー１５ｂ及びホールドキー１５ｃのみを図示）、スピーカ部１６及びマイクロホン部１７等で構成されている。
【００２２】
上記のような構成において、まず、電話機能について説明する。アンテナ１３に受信された着信信号は、信号分離部１８により電話部１９に供給される。この電話部１９では、入力された着信信号を信号処理部１９ａによって復調し、マイクロコンピュータ２３に出力する。
【００２３】
マイクロコンピュータ２３は、着信を感知すると、着信通知信号をアプリケーション処理部１９ｃに出力する。アプリケーション処理部１９ｃは、着信通知信号が入力されると、着信表示用データを表示処理部２０ｄを介して液晶表示部１４に出力し、着信通知が液晶表示部１４の画面上に表示される。
【００２４】
また、同時に、アプリケーション処理部１９ｃは、着信音声データをスピーカ１６に出力し、スピーカ１６から着信音が発生される。
【００２５】
着信に対して、ユーザが通話キー１５ｂを操作すると、その操作情報がキー入力部２１を介してマイクロコンピュータ２３に供給される。これにより、マイクロコンピュータ２３は、アンテナ１３に受信された発信者からの音声信号を、信号処理部１９ａ、通信プロトコル処理部１９ｂ及びアプリケーション処理部１９ｃを介してスピーカ１６で再生するように制御するとともに、ユーザの音声を、マイクロホン１７、アプリケーション処理部１９ｃ、通信プロトコル処理部１９ｂ、信号処理部１９ａ及び信号分離部１８を介してアンテナ１３から送信するように制御し、ここに、通話が行なわれる。
【００２６】
なお、ユーザがホールドキー１５ｃを操作すると、その操作情報がキー入力部２１を介してマイクロコンピュータ２３に入力される。これにより、マイクロコンピュータ２３は、通話が終了したと判断し、電話部１９を着信待機状態に制御して処理を終了する。
【００２７】
次に、テレビジョン放送受信機能について説明する。アンテナ１３に受信されたテレビジョン放送信号は、信号分離部１８により、操作部１５による選局操作に基づいて選局され、テレビジョン放送受信部２０に供給される。
【００２８】
このテレビジョン放送受信部２０では、入力されたテレビジョン放送信号を映像・音声処理部２０ａによって復調し、デコーダ部２０ｂにより伸張処理等を行ない、映像及び音声データを映像・音声記録部２０ｃに供給する。
【００２９】
この映像・音声記録部２０ｃは、図３に示すように、バッファ部２０ｃ１と、このバッファ部２０ｃ１に保持されたデータを記録する、例えばハードディスク等の記録媒体２０ｃ２とから構成されている。
【００３０】
通常のテレビジョン放送の再生時には、映像・音声記録部２０ｃに入力された映像データ及び音声データは、バッファ部２０ｃ１を介してそのまま、つまり、記録媒体２０ｃ２に記録されることなく出力される。
【００３１】
そして、映像・音声記録部２０ｃから出力された映像データは、表示処理部２０ｄを介して液晶表示部１４の画面上に表示される。また、映像・音声記録部２０ｃから出力された音声データは、スピーカ１６で再生され、ここに、テレビジョン放送の再生が行なわれる。
【００３２】
次に、上記のようなテレビジョン放送の再生中に着信があった場合の動作について説明する。前述したように、アンテナ１３に受信された着信信号は、信号分離部１８により電話部１９の信号処理部１９ａによって復調され、マイクロコンピュータ２３に出力される。
【００３３】
マイクロコンピュータ２３は、着信を感知すると、着信通知信号をアプリケーション処理部１９ｃに出力する。アプリケーション処理部１９ｃは、着信通知信号が入力されると、着信表示用データを表示処理部２０ｄを介して液晶表示部１４に出力する。これにより、液晶表示部１４には、テレビジョン放送の映像に重畳して、着信通知が表示される。
【００３４】
また、同時に、アプリケーション処理部１９ｃは、着信音声データをスピーカ１６に出力し、これにより、スピーカ１６からは、テレビジョン放送の音声に重畳して着信音が発生される。
【００３５】
ユーザが着信に応答する場合は、通話キー１５ｂを操作する。すると、その操作情報は、キー入力部２１を介してマイクロコンピュータ２３に供給される。このとき、マイクロコンピュータ２３は、通話モードになったと判断し、映像・音声記録部２０ｃに対して記録開始信号を出力する。
【００３６】
すると、映像・音声記録部２０ｃは、バッファ部２０ｃ１に入力された映像データ及び音声データをインターフェース部２２に出力することなく、記録媒体２０ｃ２に記録させるように動作する。
【００３７】
また、マイクロコンピュータ２３は、通話モードになったと判断した状態で、前述した電話機能で説明したように電話部１９を通話状態に制御し、ここに、テレビジョン放送の再生を中断しての通話が実現される。
【００３８】
そして、通話が終了し、ユーザがホールドキー１５ｃを操作すると、その操作情報がキー入力部２１を介してマイクロコンピュータ２３に入力される。これにより、マイクロコンピュータ２３は、通話が終了したと判断し、電話部１９を着信待機状態に制御する。
【００３９】
また、このとき、マイクロコンピュータ２３は、映像・音声記録部２０ｃに対して再生開始信号を出力する。すると、映像・音声記録部２０ｃは、記録媒体２０ｃ２に記録されている映像データ及び音声データを、記録された時系列に沿って読み出すとともに、データを読み出した記録領域にはデコーダ部２０ｂから得られる新たな映像データ及び音声データを順次上書きする、いわゆる、追いかけ再生を実行する。
【００４０】
これにより、通話が終了し、ホールドキー１５ｃが操作された時点から、再生が中断された時点の放送コンテンツに続く放送コンテンツの再生が開始されるようになる。このため、ユーザは、通話により放送コンテンツの途中部分を見逃すことを防止することができる。
【００４１】
また、着信があった場合に通話キー１５ｂを操作するだけで、テレビジョン放送受信機能から電話機能への切り替えと、映像データ及び音声データの記録動作とが自動的に行なわれ、通話が終了したときは、ホールドキー１５ｃを操作するだけで、電話機能からテレビジョン放送受信機能への切り替えと、映像データ及び音声データの再生動作とが自動的に行なわれるので、ユーザの取り扱いも便利にすることができる。
【００４２】
図４及び図５は、上記したテレビジョン放送の視聴中に着信があった場合の動作をまとめたフローチャートを示している。まず、テレビジョン放送の再生中において開始（ステップＳ１）されると、マイクロコンピュータ２３は、ステップＳ２で、着信の有無を判別し、着信がある場合（ＹＥＳ）、ステップＳ３で、通話要求の有無、つまり、通話キー１５ｂが操作されたか否かを判別する。
【００４３】
そして、通話が要求された場合（ＹＥＳ）、マイクロコンピュータ２３は、ステップＳ４で、映像・音声記録部２０ｃに記録動作を開始させる。このとき、マイクロコンピュータ２３は、記録媒体２０ｃ２の残り記録容量から、映像及び音声データの最大記録可能時間Ｘ（分）を算出する。
【００４４】
その後、マイクロコンピュータ２３は、ステップＳ５で、最大記録可能時間Ｘ（分）から所定の基準時間（例えば０．５分）を減算した時間Ｘ−０．５（分）以内で通話が終了したか否か、つまり、通話が開始されてからＸ−０．５（分）以内にホールドキー１５ｃが操作されたか否かを判別する。
【００４５】
そして、通話が終了されていない場合（ＮＯ）、マイクロコンピュータ２３は、ステップＳ６で、ユーザに警告を発生する。この警告は、例えば、液晶表示部１４に「容量がいっぱいです」等のメッセージを表示させたり、スピーカ１６から所定の音声メッセージまたは警告音等を発生させたり、装置１１を振動させること等により行なわれる。
【００４６】
その後、マイクロコンピュータ２３は、ステップＳ７で、最大記録可能時間Ｘ（分）以内で通話が終了したか否かを判別する。最大記録可能時間Ｘ（分）以内で通話が終了した場合（ＹＥＳ）、または、上記ステップＳ５で最大記録可能時間Ｘ−０．５（分）以内で通話が終了した場合（ＹＥＳ）、マイクロコンピュータ２３は、ステップＳ８で、記録媒体２０ｃ２に記録された映像データ及び音声データを記録された時系列に沿って順次読み出して再生させる。
【００４７】
これにより、先に通話が開始されたことにより、再生が中断されたテレビジョン放送コンテンツの続きの部分から、再生が開始される。また、ステップＳ８では、記録媒体２０ｃ２に対して、新たな映像データ及び音声データが順次上書きされ、前述したように追いかけ再生が行なわれる。
【００４８】
その後、マイクロコンピュータ２３は、ステップＳ９で、テレビジョン放送の再生中に再度着信があるか否かを判別し、着信がある場合（ＹＥＳ）、ステップＳ１０で、通話するか否かを判別する。
【００４９】
そして、通話する場合（ＹＥＳ）、マイクロコンピュータ２３は、ステップＳ４の処理に戻され、通話しない場合（ＮＯ）、ステップＳ１１で、ステップＳ８における記録媒体２０ｃ２への追いかけ再生を継続する。
【００５０】
また、ステップＳ９でテレビジョン放送の再生中に再度の着信がない場合（ＮＯ）、マイクロコンピュータ２３は、ステップＳ１２で、記録媒体２０ｃ２からの映像データ及び音声データの再生中止を要求する操作が行なわれたか否かを判別する。
【００５１】
そして、再生中止が要求されない場合（ＮＯ）、マイクロコンピュータ２３は、ステップＳ９の処理に戻され、再生中止が要求された場合（ＹＥＳ）、ステップＳ１３で、現在放送中のテレビジョン放送コンテンツを再生する動作に切り替えられる。
【００５２】
また、上記ステップＳ７で最大記録可能時間Ｘ（分）以内で通話が終了しない場合（ＮＯ）、マイクロコンピュータ２３は、ステップＳ１４で、最大記録可能時間Ｘ（分）を超過した分の映像及び音声データを、古い映像データ及び音声データの記録領域から順次上書きするようにして記録を継続する。
【００５３】
その後、マイクロコンピュータ２３は、ステップＳ１５で、通話終了後に、記録媒体２０ｃ２の記録内容を再生するか否かを判別する。この判別は、通話終了後に、液晶表示部１４に、例えば「放送番組が連続しませんが再生しますか」というメッセージを表示させ、ユーザにＹＥＳまたはＮＯに対応する操作部１５のキーを操作させることにより行なわれる。
【００５４】
そして、再生が要求された場合（ＹＥＳ）、マイクロコンピュータ２３は、ステップＳ１６で、記録媒体２０ｃ２に記録されている最も古い映像データ及び音声データから再生を開始する。この場合も追いかけ再生が行なわれる。
【００５５】
また、再生が要求されない場合（ＮＯ）、マイクロコンピュータ２３は、ステップＳ１７で、記録媒体２０ｃ２の記録内容を消去し、現在放送中のテレビジョン放送コンテンツを再生する動作に切り替えられる。
【００５６】
上記した動作によれば、最大記録可能時間Ｘ（分）から所定の基準時間（例えば０．５分）を減算した時間Ｘ−０．５（分）以内で通話が終了しない場合、ユーザに警告を発生するようにしたので、ユーザが放送コンテンツの途中を見逃さずにすむ通話終了タイミングを認識することができ、便利である。
【００５７】
ここで、上記記録媒体２０ｃ２は、この携帯用テレビジョン放送受信装置１１がインターネットにアクセスできる機能を持つ場合、インターネットからダウンロードしたデータを記録する記録媒体と兼用することができる。
【００５８】
この場合、インターネットからのダウンロードデータ量に応じて、テレビジョン放送再生中の着信時における最大記録可能時間Ｘ（分）が増減する。つまり、インターネットからのダウンロードデータ量を多くするか、最大記録可能時間Ｘ（分）を長くするかを、ユーザが必要に応じて選択して使用することができ、このような点でもユーザにとって使い勝手のよいものとなる。
【００５９】
また、通話が終了し、記録媒体２０ｃ２に記録された放送コンテンツを追いかけ再生している状態で、例えば、不要な部分（視聴したくないシーン）等を早送りすることにより、記録媒体２０ｃ２に記録されているデータ量を順次少なくしていき、現在のテレビジョン放送に追いつかせることも可能である。
【００６０】
さらに、この放送受信装置１１は、記録媒体２０ｃ２に対して、記録、再生だけでなく、ユーザの操作によって、早送り、早戻し、高速再生、スロー再生及び一時停止等を行なう機能を持つことも可能である。
【００６１】
また、上記映像・音声記録部２０ｃには、通話中でなくても受信した放送コンテンツを記録再生することができるようにしてもよい。
【００６２】
なお、この発明は上記した実施の形態に限定されるものではなく、この外その要旨を逸脱しない範囲で種々変形して実施することができる。
【００６３】
【発明の効果】
以上詳述したようにこの発明によれば、放送コンテンツの再生中における着信に対して十分に実用的なレベルでの対処を可能とした極めて良好な放送受信装置及びその制御方法、携帯情報端末及びその制御方法を提供することができる。
【図面の簡単な説明】
【図１】この発明の実施の形態を示すもので、携帯用テレビジョン放送受信装置を説明するために示す外観図。
【図２】同実施の形態における携帯用テレビジョン放送受信装置の信号処理系の詳細を説明するために示すブロック構成図。
【図３】同実施の形態における映像・音声記録部の詳細を説明するために示すブロック構成図。
【図４】同実施の形態におけるテレビジョン放送の視聴中に着信があった場合の動作を説明するために示すフローチャート。
【図５】同実施の形態におけるテレビジョン放送の視聴中に着信があった場合の動作を説明するために示すフローチャート。
【符号の説明】
１１…携帯用テレビジョン放送受信装置、
１２…本体部、
１３…アンテナ部、
１４…液晶表示部、
１５…操作部、
１６…スピーカ、
１７…マイクロホン、
１８…信号分離部、
１９…電話部、
２０…テレビジョン放送受信部、
２１…キー入力部、
２２…インターフェース部。
【図１】
0003688678.tif 000002
【図２】
0003688678.tif 000003
【図３】
0003688678.tif 000004
【図４】
0003688678.tif 000005
【図５】
0003688678.tif 000006